(57)【要約】【課題】小型で低消費電力の異常警報装置およびこの異常警報装置を備える異常警報システムを実現する。【解決手段】異常警報装置１は、プログラム可能な論理部１１と、異常検知センサからのセンサ信号を処理するセンサ信号処理機能を構築するセンサ信号処理プログラムと、撮像手段からの画像信号を処理する画像信号処理機能を構築する画像信号処理プログラムと、を少なくとも含むコンフィグレーション情報を記憶する記憶手段１２と、コンフィグレーション情報に含まれるセンサ信号処理プログラムおよび／または画像信号処理プログラムを記憶手段１２からプログラム可能な論理部１１へ展開し、センサ信号処理機能および／または画像信号処理機能を構築するコンフィグレーション手段１３と、外部装置と双方向無線通信可能な無線通信手段１４と、を備える。【選択図】図１
2007140579.tif 000002
【特許請求の範囲】
【請求項１】
プログラム可能な論理部と、
異常検知センサからのセンサ信号を処理するセンサ信号処理機能を構築するセンサ信号処理プログラムと、撮像手段からの画像信号を処理する画像信号処理機能を構築する画像信号処理プログラムと、を少なくとも含むコンフィグレーション情報を記憶する記憶手段と、
前記コンフィグレーション情報に含まれる前記センサ信号処理プログラムおよび／または前記画像信号処理プログラムを前記記憶手段から前記プログラム可能な論理部へ展開し、前記センサ信号処理機能および／または前記画像信号処理機能を構築するコンフィグレーション手段と、
外部装置と双方向無線通信可能な無線通信手段と、を備えることを特徴とする異常警報装置。
【請求項２】
前記無線通信手段は、前記センサ信号処理プログラムおよび前記画像信号処理プログラムのうちどのプログラムを前記記憶手段から前記プログラム可能な論理部へ展開するかを指示するモード切替指示信号を受信する請求項１に記載の異常警報装置。
【請求項３】
前記無線通信手段は、当該異常警報装置内の前記センサ信号処理機能によって生成される、異常発生の有無を通知する信号を、前記外部装置へ送信する請求項１に記載の異常警報装置。
【請求項４】
前記無線通信手段は、当該異常警報装置とは異なる他の異常警報装置内の前記センサ信号処理機能によって生成される信号である異常発生の有無を通知する信号を受信する請求項１に記載の異常警報装置。
【請求項５】
前記無線通信手段は、前記画像信号処理機能によって生成された画像情報を、前記外部装置へ送信する請求項１に記載の異常警報装置。
【請求項６】
前記センサ信号処理機能によって生成される、異常発生を通知する信号に基づいて、当該異常発生を視覚的および／または聴覚的に報知する報知手段をさらに備える請求項１または４に記載の異常警報装置。
【請求項７】
請求項１〜６のいずれか一項に記載の異常警報装置を、少なくとも１つ備える異常警報システムであって、
前記異常警報装置内の前記無線通信手段と双方向無線通信可能なメイン無線通信手段を有するメインコントローラであって、前記メイン無線通信手段を介して前記異常警報装置を統括制御可能なメインコントローラを備えることを特徴とする異常警報システム。
【請求項８】
前記メインコントローラは、所望の前記異常警報装置に対する信号として、前記センサ信号処理プログラムおよび前記画像信号処理プログラムのうちどのプログラムを前記記憶手段から前記プログラム可能な論理部へ展開するかを指示するモード切替指示信号を生成し、前記メイン無線通信手段を介して前記所望の異常警報装置へ送信するとともに、
前記メインコントローラは、前記センサ信号処理機能および前記画像信号処理機能のうちどちらが前記異常警報装置において構築されているかを表示するモード表示手段をさらに有する請求項７に記載の異常警報システム。
【請求項９】
前記メインコントローラは、前記異常警報装置内の前記センサ信号処理機能によって生成される、異常発生を通知する信号に基づいて、当該異常発生を視覚的および／または聴覚的に報知するメイン報知手段をさらに有する請求項７に記載の異常警報システム。
【請求項１０】
前記メインコントローラは、前記異常警報装置から送信された画像情報に基づいて、前記撮像手段によって撮像された画像を表示する画像表示手段をさらに有する請求項７に記載の異常警報システム。
【発明の詳細な説明】
【技術分野】
【０００１】
本発明は、火災、不法侵入、盗難、ガスもれなどの種々の異常を検知して警報を発する異常警報装置およびこの異常警報装置を備える異常警報システムに関する。
【背景技術】
【０００２】
一般に、火災、不法侵入、盗難、ガスもれなどの種々の異常を検知して警報を発する異常警報システムでは、異常検知センサを備える装置（以下、「異常警報装置」と称する。）を住宅やビルなどの建造物の適当な場所にいくつか設置し、別個設けられたメインコントローラを用いてこれら各異常警報装置を一元管理している。
【０００３】
例えば、一般の住宅に設置される火災警報システムにおいては、住宅の各部屋の天井や壁面などに設置された各火災警報装置とメインコントローラとがケーブルを用いて電気的に接続される。ある部屋で火災が発生すると、当該部屋に設置された火災警報装置は火災の発生を検知してメインコントローラへ火災の発生を通知し、そしてメインコントローラは、警報音を発したり警報ランプを点滅もしくは点灯させたりすることによって、メインコントローラ付近に居るユーザに対して火災の発生を報知する。また、火災警報装置内に設けられたＣＣＤカメラなどのような撮像手段により生成された画像は、メインコントローラに設けられたディスプレイ上に表示され、このディスプレイ表示によりユーザは火災の状況を確認することもできる。
【０００４】
各異常警報装置とメインコントローラとの接続をケーブルを介して行う場合、実用性や美観などを考慮して、建造物の天井裏、壁の裏、あるいは床下などにケーブルを配線することになる。このため、建造物を新築する際に同時に異常警報システムを設置することは比較的容易であるが、既存の建造物に異常警報装置を新たに設置する場合は工事が大がかりになる。また例えば、ケーブルが火災により焼失したりあるいは何らかの原因により断線した場合には、異常警報システムが機能しなくなってしまう。
【０００５】
そこで、近年、各異常警報装置とメインコントローラとを無線通信により電気的に接続した異常警報システムが提案されている（例えば、特許文献１参照）。
【０００６】
また例えば、各検知装置と監視装置との間の無線伝送にスペクトラム拡散通信を用いることで、安定性および信頼性の高い異常警報システムを実現する技術がある（例えば、特許文献２参照）。
【０００７】
【特許文献１】特開２００５−１７４０４１号公報
【特許文献２】特開平６−１６２３７６号公報
【発明の開示】
【発明が解決しようとする課題】
【０００８】
異常警報システムにおいて各異常警報装置とメインコントローラとの接続にケーブルを用いる場合は、無線通信によりこの接続を実現する場合に比べて設置工事が大がかりなものとなり、設置費用が高くなり、工期も長くなる。また、例えば火災などによりケーブルが消失した場合には、異常警報システム全体が機能しないことになる。
【０００９】
一方、無線通信を用いた異常警報システムにおいては、各異常警報装置ごとに独立電源（一般的には乾電池）を設ける必要がある。天井などに設置されることの多い異常警報装置の乾電池の交換は非常に手間がかかる作業である。また、異常検知センサ、ＣＣＤカメラ、警報ランプ、および警報音発生のための音響装置など種々の回路を含む高機能の異常警報装置は消費電力が大きいので、乾電池の交換作業の頻度も高い。さらには、異常警報装置をより一層高機能化しようとすると、当該各機能を実現するための回路スペースもその分必要となり、装置本体が大きくならざるを得ない。
【００１０】
また、特開２００５−１７４０４１号公報（上記特許文献１）や特開平６−１６２３７６号公報（上記特許文献２）などに記載された発明に代表される無線通信を用いた従来の異常警報システムは、異常警報装置からメインコントローラへ一方向に無線通信されるものであって、メインコントローラ側からは各異常警報装置を遠隔操作することができない。
【００１１】
従って本発明の目的は、上記問題に鑑み、小型で低消費電力の異常警報装置およびこの異常警報装置を備える異常警報システムを提供することにある。
【課題を解決するための手段】
【００１２】
上記目的を実現するために、本発明においては、プログラム可能な論理部と、異常検知センサからのセンサ信号を処理するセンサ信号処理機能を構築するプログラムと撮像手段からの画像信号を処理する画像信号処理機能を構築するプログラムとを少なくとも含むコンフィグレーション情報を記憶する記憶手段と、を異常警報装置内に備える。このような構成の下で、記憶手段に記憶されたコンフィグレーション情報に含まれるこれら各プログラムの中から所望のプログラムを記憶手段からプログラム可能な論理部へ展開し、センサ信号処理機能もしくは画像信号処理機能を構築する。また、本発明による異常警報装置は、外部装置と双方向無線通信可能な無線通信手段をさらに備えるのが好ましい。
【００１３】
また、本発明による異常警報装置を少なくとも１つ備える異常警報システムは、異常警報装置に対し双方向無線通信可能であり、かつ、異常警報装置を統括制御可能なメインコントローラを備える。このメインコントローラは、所望の異常警報装置に対する信号として、センサ信号処理プログラムおよび画像信号処理プログラムのうちどのプログラムを記憶手段からプログラム可能な論理部へ展開するかを指示するモード切替指示信号を生成し、異常警報装置へ送信することができる。
【００１４】
図１は、本発明による異常警報装置の基本構成図である。以降、異なる図面において同じ参照符号が付されたものは同じ機能を有する構成要素であることを意味するものとする。
【００１５】
本発明による異常警報装置１は、プログラム可能な論理部１１と、異常検知センサ１０からのセンサ信号を処理するセンサ信号処理機能を構築するセンサ信号処理プログラムと、撮像手段からの画像信号を処理する画像信号処理機能を構築する画像信号処理プログラムと、を少なくとも含むコンフィグレーション情報を記憶する記憶手段１２と、コンフィグレーション情報に含まれるセンサ信号処理プログラムおよび／または画像信号処理プログラムを記憶手段１２からプログラム可能な論理部１１へ展開し、センサ信号処理機能および／または画像信号処理機能を構築するコンフィグレーション手段１３と、外部装置と双方向無線通信可能な無線通信手段１４と、を備える。
【００１６】
また、異常警報装置１は、センサ信号処理機能によって生成される、異常発生を通知する信号に基づいて、当該異常発生を視覚的および／または聴覚的に報知する報知手段１５をさらに備えるのが好ましい。
【００１７】
図２は、本発明による異常警報システムの基本構成図である。本発明による異常警報システム２は、図１の異常警報装置１を少なくとも１つ備え、かつ、異常警報システム２は、異常警報装置１内の無線通信手段１４と双方向無線通信可能なメイン無線通信手段２１を有するメインコントローラ２０であって、このメイン無線通信手段２１を介して異常警報装置１を統括制御可能なメインコントローラ２０を備える。なお、図２では、一例として、異常警報装置１の個数を３個としたが、本発明は、これに限定されるものではなく、その他の個数であってもよい。なお、図２においては、図１の異常警報装置１内におけるプログラム可能な論理部１１、記憶手段１２、コンフィグレーション手段１３および報知手段１５の図示を省略している。
【００１８】
メインコントローラ２０は、所望の異常警報装置１に対する信号として、センサ信号処理プログラムおよび画像信号処理プログラムのうちどのプログラムを記憶手段から前記プログラム可能な論理部へ展開するかを指示するためのモード切替指示信号を生成し、メイン無線通信手段２１を介して所望の異常警報装置１へ送信する。
【００１９】
また、メインコントローラ２０は、センサ信号処理機能および画像信号処理機能のうちどちらが異常警報装置１において構築されているかを表示するモード表示手段２２をさらに有するのが好ましい。また、メインコントローラ２０は、異常警報装置１内のセンサ信号処理機能によって生成される信号である異常発生を通知する信号に基づいて、当該異常発生を視覚的および／または聴覚的に報知するメイン報知手段２３を有するのが好ましい。また、メインコントローラ２０は、異常警報装置１から送信された画像情報に基づいて、異常警報装置１内の撮像手段によって撮像された画像を表示する画像表示手段２４を有するのが好ましい。
【発明の効果】
【００２０】
本発明によれば、小型で低消費電力の異常警報装置およびこの異常警報装置を備える異常警報システムを実現することができる。
【００２１】
従来では、異常検知センサからのセンサ信号を処理するセンサ信号処理機能および撮像手段からの画像信号を処理する画像信号処理機能は、異常警報装置内に予め構成されたハードウェアおよび／またはファームウェアを用いて実現されていたが、本発明では、センサ信号処理機能を構築するセンサ信号処理プログラムおよび／または画像信号処理機能を構築する画像信号処理プログラムを、記憶手段からプログラム可能な論理部上に必要に応じて展開することによりこれら各機能を実現するので、異常警報装置を小型および軽量化ならびに低消費電力化することができる。また、異常警報装置を少なくとも１つ備える異常警報システム全体の低消費電力化にも効果的である。
【００２２】
また、異常警報装置とこの異常警報装置を統括制御するメインコントローラとの間を双方向無線通信可能とすることにより、ケーブル配線は不要となり、ケーブルの焼失や断線による異常警報システムの動作停止も発生することがなくなり信頼性が向上する。
【００２３】
特に、無線通信化により異常警報装置内に乾電池などのような独立電源を設けることになっても、本発明では、異常警報装置内においてセンサ信号処理機能および／または画像信号処理機能を必要に応じていわばソフトウェア的に実現することにより当該異常警報装置を低消費電力化するので、独立電源の長寿命化を図ることができ、結果としてメンテナンスの手間を削減することができる。
【００２４】
またさらに、異常警報装置とメインコントローラとの間を双方向無線通信可能とすることにより、異常警報システムのさらなる高機能化も可能である。
【発明を実施するための最良の形態】
【００２５】
図３および４は、本発明の実施例による異常警報装置のブロック図である。ここでは、一例として異常警報装置が火災警報装置である実施例について説明する。
【００２６】
本実施例による異常警報装置１は、参照符号３１で示されるＰＬＤ（Ｐｒｏｇｒａｍｍａｂｌｅ  Ｌｏｇｉｃ  Ｄｅｖｉｃｅ）と、記憶手段１２と、図１の無線通信手段１４に相当する無線通信モジュール３２およびアンテナ３３と、図１の報知手段１５に相当するＬＥＤ／音響装置３４と、温度センサ３５と、煙センサ３６と、ＣＣＤカメラ３７と、を備える。また、ＬＥＤ／音響装置３４、温度センサ３５、煙センサ３６およびＣＣＤカメラ３７と、ＰＬＤ３１との間には、インタフェース（Ｉ／Ｆ）３８−１、３８−２、３８−３および３８−４が設けられる。
【００２７】
ＰＬＤ３１は、プログラム可能な論理部１１と、コンフィグレーション手段１３とを備える。コンフィグレーション手段１３は、ハードウェアマクロセルとしてＰＬＤ３１上に構築されている。ＰＬＤの代替例としては、例えばＦＰＧＡ（Ｆｉｅｌｄ  Ｐｒｏｇｒａｍｍａｂｌｅ  Ｇａｔｅ  Ａｒｒａｙ）などがある。
【００２８】
記憶手段１２は、例えばフラッシュメモリなどで構成される。記憶手段１２は、温度センサ３５および煙センサ３６からのセンサ信号を処理するセンサ信号処理機能を構築するセンサ信号処理プログラムと、ＣＣＤカメラ３７からの画像信号を処理する画像信号処理機能を構築する画像信号処理プログラムと、を少なくとも含むコンフィグレーション情報を記憶する。
【００２９】
無線通信モジュール３２は、当該異常警報装置１内に予め組み込まれるモジュールであるか、あるいは着脱可能なモジュールである。本実施例で用いられる無線方式としては、ブルートゥース（Ｂｌｕｅｔｏｏｔｈ（登録商標））、ＺｉｇＢｅｅ、ＨｏｍｅＲＦ、ＵＷＢ（広帯域無線）、ＩＥＥＥ８０２．１１などの無線ＬＡＮ、特定小電力の無線通信、あるいは赤外線通信などがある。無線方式は予め１つのものに固定しておいてもよいが、異常警報装置の設置環境によっては他の電子機器の無線方式との混信も発生し得るため、本実施例では、複数の無線方式の中から必要に応じて無線方式を選択できるようにする。例えば、無線通信モジュール３２を着脱可能なモジュールとして構成しておけば、モジュールを交換することで容易に無線方式を変更することができる。また例えば、特定の無線方式を実現することができるプログラムを外部装置からダウンロードできるようにしてもよい。
【００３０】
本実施例では異常警報装置１を火災警報装置として構成するので、図１の異常検知センサ１０として、温度センサ３５および煙センサ３６を設ける。
【００３１】
ＬＥＤ／音響装置３４は、火災の発生を警告音および／または警報ランプの点滅もしくは点灯により視覚的および／または聴覚的に報知する。なお、ＬＥＤ以外の発光装置を用いてもよく、例えば、電球、ＥＬ、液晶ディスプレイ、プラズマディスプレイなどでもよい。音響装置としては、例えばブザー、スピーカ、チャイムなどがある。
【００３２】
記憶手段１２に記憶されたコンフィグレーション情報のうち、温度センサ３５および煙センサ３６からのセンサ信号を処理するセンサ信号処理機能を構築するセンサ信号処理プログラムが、記憶手段１２からプログラム可能な論理部１１へ、コンフィグレーション手段１３によって展開されると、図３に示すような、センサ信号処理機能を実現する論理回路が構築される。本明細書では図３に示すような論理回路がＰＬＤ３１内におけるプログラム可能な論理部１１に構築される動作モードを「火災監視モード」と称する。火災監視モードでは、ＰＬＤ３１内におけるプログラム可能な論理部１１には、制御部４１と、判定回路４２と、インタフェース（Ｉ／Ｆ）４３とが構築される。
【００３３】
一方、記憶手段１２に記憶されたコンフィグレーション情報のうち、ＣＣＤカメラ３７からの画像信号を処理する画像信号処理機能を構築する画像信号処理プログラムが、記憶手段１２からプログラム可能な論理部１１へ、コンフィグレーション手段１３によって展開されると、図４に示すような、画像信号処理機能を実現する論理回路が構築される。本明細書では図４に示すような論理回路がＰＬＤ３１内におけるプログラム可能な論理部１１に構築される動作モードを「ＣＣＤカメラモード」と称する。ＣＣＤカメラモードでは、ＰＬＤ３１内におけるプログラム可能な論理部１１には、制御部４１と、判定回路４２と、インタフェース（Ｉ／Ｆ）４３と、画像処理部４４とが構築される。
【００３４】
異常警報装置１の電源が投入されると、ＰＬＤ３１内のコンフィグレーション手段１３は、記憶手段１２からセンサ信号処理プログラムを読み出してこれをＰＬＤ３１内のプログラム可能な論理部に展開する。これにより、図３に示すような制御部４１と判定回路４２とインタフェース（Ｉ／Ｆ）４３とからなる論理回路が構築され、異常警報装置１はまずは火災監視モードで動作することになる。
【００３５】
火災監視モードにおいては、判定回路４２は、温度センサ３５および煙センサ３６から出力される各センサ信号を常時監視し、火災発生の有無を判定する。判定回路４２が、温度センサ３５および煙センサ３６からの各センサ信号に基づき、「火災が発生した」と判定すると、火災発生通知信号を制御部４１へ送信する。制御部４１は、火災発生通知信号を判定回路４２から受信すると、ＬＥＤ／音響装置３４を駆動する。すると、ＬＥＤ／音響装置３４は、火災の発生を警告音を発したり警報ランプを点滅もしくは点灯させたりして、当該異常警報装置１付近に居るユーザに対し火災の発生を視覚的および／または聴覚的に報知する。これと同時に、制御部４１は、インタフェース（Ｉ／Ｆ）４３、無線通信モジュール３２およびアンテナ３３を介して外部装置へ火災発生通知信号を送信する。この外部装置とは、後述する異常警報システムにおけるメインコントローラか、あるいは、火災発生通知信号を送信した（すなわち火災の発生を検知した）異常警報装置とは異なる他の異常警報装置のことである。火災の発生を検知していない異常警報装置が、この火災発生通知信号を、後述するようにメインコントローラを介して受信し、あるいは、火災の発生を検知した異常警報装置から直接に受信すると、受信した異常警報装置は、ＬＥＤ／音響装置を駆動し、火災の発生を警告音を発したり警報ランプを点滅もしくは点灯させたりして、当該異常警報装置付近に居るユーザに対し火災の発生を視覚的および／または聴覚的に報知する。
【００３６】
一方、火災発生検知後に、判定回路４２が、温度センサ３５および煙センサ３６から出力される各センサ信号に基づき、「火災が発生がなくなり、正常状態に戻った」と判定すると、正常状態通知信号を制御部４１へ送信する。制御部４１は、正常状態通知信号を判定回路４２から受信すると、火災発生後駆動していたＬＥＤ／音響装置３４の当該駆動を停止する。これと同時に、制御部４１は、インタフェース（Ｉ／Ｆ）４３、無線通信モジュール３２およびアンテナ３３を介して、メインコントローラへ、あるいは火災発生通知信号を送信した異常警報装置とは異なる他の異常警報装置へ、正常状態通知信号を送信する。火災の発生を検知していない異常警報装置が、正常状態通知信号を、メインコントローラを介して受信し、あるいは火災の発生を検知した異常警報装置から直接に受信すると、受信した異常警報装置は、火災発生後駆動していたＬＥＤ／音響装置の当該駆動を停止する。
【００３７】
なお、温度センサ３５および煙センサ３６から出力される各センサ信号からわかる情報、例えば温度や煙の量などに関する情報を、インタフェース（Ｉ／Ｆ）４３、無線通信モジュール３２およびアンテナ３３を介してメインコントローラへ送信するようにしてもよい。
【００３８】
本実施例による異常警報装置１は、センサ信号処理プログラムおよび画像信号処理プログラムのうちどのプログラムを記憶手段１２からＰＬＤ３１内のプログラム可能な論理部１１へ展開するかを指示するモード切替指示信号を、アンテナ３３および無線通信モジュール３２を介して、後述するメインコントローラから受信することができる。異常警報装置１は、モード切替指示信号の受信により、火災監視モードとＣＣＤカメラモードとの間で動作モードを切り替える。
【００３９】
異常警報装置１は、電源投入後から火災を検知するまでは火災監視モードで動作するが、火災監視モードからＣＣＤカメラモードへ動作モードを切り替える指示であるモード切替指示信号をアンテナ３３および無線通信モジュール３２を介して受信すると、ＰＬＤ３１内のコンフィグレーション手段１３は、記憶手段１２から画像信号処理プログラムを読み出してＰＬＤ３１内のプログラム可能な論理部に展開する。これにより、図４に示すような、制御部４１と判定回路４２とインタフェース（Ｉ／Ｆ）４３と画像処理部４４とからなる論理回路が構築され、異常警報装置１は、ＣＣＤカメラモードで動作することになる。
【００４０】
ＣＣＤカメラモードにおいては、画像処理部４４は、ＣＣＤカメラ３７が出力した画像信号を処理し、処理後の画像信号をインタフェース（Ｉ／Ｆ）４３、無線通信モジュール３２およびアンテナ３３を介して外部装置へ送信する。この外部装置とは、異常警報システムにおけるメインコントローラである。なお、ＣＣＤカメラモード中も、判定回路４２は、温度センサ３５および煙センサ３６から出力される各センサ信号を監視し、火災発生の有無を判定する処理を継続する。
【００４１】
ＣＣＤカメラモードにおいて、ＣＣＤカメラモードから火災監視モードへ動作モードを切り替える指示であるモード切替指示信号をアンテナ３３および無線通信モジュール３２を介して受信すると、ＰＬＤ３１内のコンフィグレーション手段１３は、記憶手段１２からセンサ信号処理プログラムを読み出してＰＬＤ３１内のプログラム可能な論理部に展開する。これにより、図３に示すような制御部４１と判定回路４２とインタフェース（Ｉ／Ｆ）４３とからなる論理回路が構築され、異常警報装置１は再び火災監視モードで動作することになる。
【００４２】
なお、本実施例では、異常警報装置１は、モード切替指示信号を受信するで、動作モードを火災監視モードとＣＣＤカメラモードとの間で切り替えるとしたが、この代替例として、火災の発生を検知したら自動的に火災監視モードからＣＣＤカメラモードへ切り替えるようにしてもよい。
【００４３】
また、本実施例では、センサ信号処理プログラムおよび画像信号処理プログラムは、記憶素子１２から読み出されてＰＬＤ３１内のプログラム可能な論理部１１へ展開されるものとしたが、この代替例として、ＰＬＤ３１内のプログラム可能な論理部１１へ展開すべきセンサ信号処理プログラムおよび画像信号処理プログラムを、アンテナ３３および無線通信モジュール３２を介して外部装置からダウンロードするようにしてもよい。
【００４４】
図５は、本発明の実施例による異常警報装置を例示する断面図である。なお、図５に示す異常警報装置１における各部品およびこれらの配置場所は一例であり、その他の配置であってもよい。
【００４５】
異常警報装置１の筐体４８内には、乾電池などの独立電源４６、ならびに各種回路および各種素子が実装されたプリント基板４５が設けられる。また、筐体４８には、天井もしくは壁面３に異常警報装置１を取り付けるための取り付けベース４７が設けられる。また、筐体４８には、ＬＥＤ３４−１、音響装置３４−２、温度センサ３５、煙センサ３６、およびＣＣＤカメラ３７が設けられる。
【００４６】
本実施例では、ＰＬＤ３１、記憶手段１２および無線通信モジュール３２は、プリント基板４５上に実装される。この代替例として、ＰＬＤ３１、記憶手段１２および無線通信モジュール３２の全てがシリコン上に実装されたシステム・オン・シリコンの形態、あるいは、ＰＬＤ３１、記憶手段１２および無線通信モジュール３２の全てが１つのパッケージに実装されたシステム・イン・パッケージの形態で実施してもよい。なお、図５では図示を省略するが、アンテナ２３についてもプリント基板上に実装してもよい。
【００４７】
図６は、本発明の実施例による異常警報システムにおけるメインコントローラのブロック図である。
【００４８】
本実施例におけるメインコントローラ２０は、図２のメイン無線通信手段２１に相当する無線通信モジュール５１およびアンテナ５２と、図２のメイン報知手段２３に相当するＬＥＤ／音響装置５３と、図２のモード表示手段２２および画像表示手段２４の機能を含む表示部５４と、操作部５５と、メインコントローラ２０の動作全体を制御する制御部５６と、回路制御部５７とを備える。また、無線通信モジュール５１と表示部５４と制御部５６の間にはインタフェース（Ｉ／Ｆ）５８−１が設けられ、ＬＥＤ／音響装置５３と制御部５６との間にはインタフェース（Ｉ／Ｆ）５８−２が設けられる。
【００４９】
無線通信モジュール５１は、上述の異常警報装置１と同様に、当該メインコントローラ２０内に予め組み込まれるモジュールであるか、あるいは着脱可能なモジュールである。本実施例で用いられる無線方式としては、ブルートゥース（Ｂｌｕｅｔｏｏｔｈ（登録商標））、ＺｉｇＢｅｅ、ＨｏｍｅＲＦ、ＵＷＢ（広帯域無線）、ＩＥＥＥ８０２．１１などの無線ＬＡＮ、特定小電力の無線通信、あるいは赤外線通信などがある。無線方式は予め１つのものに固定しておいてもよいが、本実施例では複数の無線方式の中から必要に応じて無線方式を選択できるようにする。無線通信モジュール５１を着脱可能なモジュールとして構成しておけば、モジュールを交換することで容易に無線方式を変更することができる。また例えば、特定の無線方式を実現することができるプログラムを、公衆電話回線もしくはインターネット経由でダウンロードできるようにしてもよい。
【００５０】
メインコントローラ２０内の制御部５６は、所望の異常警報装置１に対する信号として、センサ信号処理プログラムおよび画像信号処理プログラムのうちどのプログラムを記憶手段から前記プログラム可能な論理部へ展開するかを指示するモード切替指示信号を生成する。モード切替指示信号の生成開始の指示は、後述する操作部５５を操作することによりなされる。生成されたモード切替指示信号は、無線通信モジュール５１およびアンテナ５２を介して所望の異常警報装置１へ送信される。なお、モード切替指示信号内に、どの異常警報装置のモードを切り替えるかを指示するための識別番号を付与しておいてもよい。この場合、指示された異常警報装置のみがモード切替指示信号に応答して動作モードを切り替えることになる。
【００５１】
ＬＥＤ／音響装置５３は、火災の発生を警告音および／または警報ランプの点滅もしくは点灯により視覚的および／または聴覚的に報知する。なお、ＬＥＤ以外の発光装置を用いてもよく、例えば、電球、ＥＬ、液晶ディスプレイ、プラズマディスプレイなどでもよい。音響装置としては、例えばブザー、スピーカ、チャイムなどがある。
【００５２】
表示部５４は、異常警報装置１から送られてきた画像信号に基づいて、ＣＣＤカメラ３７により撮像された画像を表示する。また、表示部５４は、センサ信号処理機能および画像信号処理機能のうちどちらが異常警報装置１において構築されているか、すなわち異常警報装置１が現在どの動作モードにあるかを表示する。表示部５４は、例えば液晶ディスプレイ、プラズマディスプレイ、ブラウン管、あるいはＥＬなどで構成すればよい。
【００５３】
操作部５５は、ユーザが、異常警報システム２の異常警報装置１やメインコントローラ２０に対して何らかの指示を入力するためのユーザインタフェースである。例えば、異常警報装置１の動作モードの切替えを指示する際や、無線方式をソフトウェア的に変更可能にした場合においては無線方式の変更を指示する際や、あるいは、異常警報システムと外部との連絡方法を設定したりする際などに、ユーザは操作部５５を操作することになる。操作部５５は、例えばメカニカルスイッチ、タッチパネルなどで構成すればよい。なお、操作部５５をタッチパネルで構成する場合は、表示部５４の機能も含めて構成することになる。
【００５４】
公衆電話回線やインターネットなどに接続される回線制御部５７は、固定電話、携帯電話、ＰＨＳ、ＩＰフォン、電子メールもしくはインターネットなどの各種連絡方式により、異常警報システムにおけるメインコントローラ２０や異常警報装置１の状況を外部へ通知したり、あるいは、メインコントローラ２０を外部から遠隔操作するために用いられるインタフェースである。アンテナ５２および無線通信モジュール５１を介して火災発生通知信号を受信した場合は、制御部５６は、火災を検知した旨を、回線制御部５７を介して外部へ通知する。例えば、火災が検知した場合は所定の携帯電話に自動的に電話をかけたり所定のアドレス宛に電子メールを送信するように設定してもよい。また例えば、固定電話や携帯電話を用いて所定の電話番号に電話をかけたりインターネット経由で所定の操作をしたりすることによって、異常警報システムを遠隔操作できるようにしてもよい。なお、異常警報システムと外部との連絡方式の内容は予め設定しておくのが好ましく、この設定操作にも操作部５５が利用される。
【００５５】
なお、本実施例では、センサ信号処理プログラムおよび画像信号処理プログラムは、記憶素子１２から読み出されてＰＬＤ３１内のプログラム可能な論理部１１へ展開されるとしたが、この代替例として、ＰＬＤ３１内のプログラム可能な論理部１１へ展開すべきセンサ信号処理プログラムおよび画像信号処理プログラムを、アンテナ３２および無線通信モジュール５１を介して異常警報装置へアップロードしてそのままＰＬＤ３１内のプログラム可能な論理部１１へ展開するようにしてもよい。
【００５６】
図７は、本発明の実施例による異常警報システムが適用される住宅を例示する模式図である。一例として、２階建ての住宅１００に異常警報システム２が設置される場合を示す。図示の例では、異常警報装置１が住宅１００の子供部屋Ａ、子供部屋Ｂ、寝室Ｃおよび階段Ｅの天井に設置され、メインコントローラ２０がリビングダイニングＤの壁面に設置される。
【００５７】
図８は、図７に示す住宅に設置される本発明の実施例による異常警報システムのメインコントローラの外観の第１の具体例を例示する正面図である。なお、図８に示すメインコントローラ２０における各構成要素およびこれらの配置場所は一例であり、その他の配置であってもよい。図８に示すように、メインコントローラ２０には、ＬＥＤ５３−１、音響装置５３−２、表示部５４、操作部５５が設けられる。火災を検知したとき、ＬＥＤ５３−１は点滅もしくは点灯し、音響装置５３−２は警報音を発する。また、表示部５４には、例えば火災を検知した異常警報装置のＣＣＤカメラが撮像した画像などが表示される。
【００５８】
操作部５５は、異常警報装置が設置された部屋に対応して割り当てられた押しボタン５９からなる。図８に示す例では、図７に示す住宅１００に合わせて、子供部屋Ａ、子供部屋Ｂ、寝室Ｃおよび階段Ｅごとに押しボタン５９が割り当てられる。押しボタン５９が押下される度に、対応する異常警報装置の動作モードは火災監視モードとＣＣＤカメラモードとの間で切り替えられる。なお、押しボタン５９の識別を容易にするために、押しボタン５９の表面上に、「寝室Ｃ」や「子供部屋Ａ」などが書かれた名札を適宜差し込むことができるような構造を設けてもよい。
【００５９】
図９は、図７に示す住宅に設置される本発明の実施例による異常警報システムのメインコントローラの外観の第２の具体例を例示する正面図である。なお、図９に示すメインコントローラ２０における各構成要素およびこれらの配置場所は一例であり、その他の配置であってもよい。図９に示すように、メインコントローラ２０には、ＬＥＤ５３−１、音響装置５３−２、タッチパネル６０が設けられる。
【００６０】
タッチパネル６０は、図６に示す表示部５４および操作部５５の機能を同時に実現するものである。タッチパネル６０は、本発明による異常警報システムが設置される住宅（この例では図７）を模式的に表示するのが好ましい。
【００６１】
タッチパネル６０は、例えば、異常警報装置のＣＣＤカメラにより撮像された画像を表示したり、火災を検知した異常警報装置を設置した部屋を示すアイコンを点滅させたり、異常警報装置が現在どの動作モードにあるかを表示する。なお、これらの表示以外のその他の情報についてもタッチパネル６０上に表示するようにしてもよい。
【００６２】
また、異常警報装置の動作モードの切替えを指示する場合には、タッチパネル６０に表示された当該異常警報装置を設置した部屋を示すアイコンをタッチ操作することでなされる。また、タッチパネル６０のタッチ操作により、異常警報装置とメインコントローラとの間の無線方式を設定したり、あるいは異常警報システムと外部との連絡方法を設定したりすることができるようにしてもよい。これらの操作以外のその他の操作についても、タッチパネル６０へのタッチ操作で実現するようにしてもよい。また、操作可能な内容をメニュー形式で表示するようにしてもよい。
【００６３】
なお、タッチパネル６０以外の構成要素であるＬＥＤ５３−１および音響装置５３−２については図８を参照して説明した構成要素の場合と同様なので、同一部分には同一符号を付してその詳細な説明については省略する。
【００６４】
なお、上述の実施例では、異常警報装置が火災警報装置である場合について説明したが、建物内への不法侵入や、盗難、ガス漏れなどの異常を検知する異常警報装置であっても同様に本発明を適用することができる。
【産業上の利用可能性】
【００６５】
本発明は、火災、不法侵入、盗難、ガスもれなどの種々の異常を検知して警報を発する異常警報装置およびこの異常警報装置を少なくとも１つ備える異常警報システムに適用することができる。本発明によれば、小型で低消費電力の異常警報装置およびこの異常警報装置を備える異常警報システムを実現することができる。
【００６６】
本発明による異常警報装置では、センサ信号処理機能を構築するセンサ信号処理プログラムおよび／または画像信号処理機能を構築する画像信号処理プログラムを、プログラム可能な論理部上に必要に応じて展開することによりこれら各機能を実現するので、異常警報装置を小型および軽量化ならびに低消費電力化することができる。また、異常警報装置を少なくとも１つ備える異常警報システム全体の低消費電力化にも効果的である。
【００６７】
また、本発明によれば、異常警報装置とこの異常警報装置を統括制御するメインコントローラとの間を双方向無線通信可能とすることにより、ケーブル配線が不要となり、ケーブルの焼失や断線による異常警報システムの動作停止も発生することがなくなり信頼性が向上する。
【００６８】
また、本発明によれば、異常警報装置内に設けられる独立電源の長寿命化を図ることができ、メンテナンスの手間を削減することができる。また、異常警報システムのさらなる高機能化も可能である。
【図面の簡単な説明】
【００６９】
【図１】本発明による異常警報装置の基本構成図である。
【図２】本発明による異常警報システムの基本構成図である。
【図３】本発明の実施例による異常警報装置のブロック図（その１）である。
【図４】本発明の実施例による異常警報装置のブロック図（その２）である。
【図５】本発明の実施例による異常警報装置を例示する断面図である。
【図６】本発明の実施例による異常警報システムにおけるメインコントローラのブロック図である。
【図７】本発明の実施例による異常警報システムが適用される住宅を例示する模式図である。
【図８】図７に示す住宅に設置される本発明の実施例による異常警報システムのメインコントローラの外観の第１の具体例を例示する正面図である。
【図９】図７に示す住宅に設置される本発明の実施例による異常警報システムのメインコントローラの外観の第２の具体例を例示する正面図である。
【符号の説明】
【００７０】
１    異常警報装置
２    異常警報システム
１１    プログラム可能な論理部
１２    記憶手段
１３    コンフィグレーション手段
１４    無線通信手段
１５    報知手段
２０    メインコントローラ
２１    メイン無線通信手段
２２    モード表示手段
２３    メイン報知手段
２４    画像表示手段
３１    ＰＬＤ
【図１】
2007140579.tif 000003
【図２】
2007140579.tif 000004
【図３】
2007140579.tif 000005
【図４】
2007140579.tif 000006
【図５】
2007140579.tif 000007
【図６】
2007140579.tif 000008
【図７】
2007140579.tif 000009
【図８】
2007140579.tif 000010
【図９】
2007140579.tif 000011